(57)【要約】【目的】内部照明用の照明装置を脱着可能に持続的に保持する高耐震性の保持方法を備え、照明装置の接地の確保および移動先での照明装置の固定が可能な盤装置の提供。【構成】この発明の盤装置１は、平面状配列の発光素子（発光ダイオード）応用の発光体を電源装置と共に収納する直方体状でアルミニウム板製の収納容器５４などを持つ本体部５１，矩形状鉄板材製で本体部５１に装着された装着体５８，シート状ゴム磁石材製で装着体５８の主面５８Ｂに装着された永久磁石体５９を持つ照明装置５、装着体５８を主面５８Ａと矩形状側面部で脱着可能に保持する凹部６１を持つ保持枠体６、金属板製片持梁状の薄板ばねでその先端部で主面５８Ｂを保持枠体６の凹部６１の底面６２に向けて弾性的に押圧する弾性加圧体７を備えることが特徴である。【選択図】        図４
2006050731.tif 000002
【特許請求の範囲】
【請求項１】
発光素子を光源に用いた内部照明用の照明装置を脱着可能に装着するようにした盤装置において、
前記照明装置は前記発光素子が収納された本体部と，この本体部が盤装置に装着される部位に配設される一方の主面と他方の主面とを持つ板状の装着体と，この装着体の他方の主面部に配設された永久磁石体とを備え、前記盤装置は前記照明装置を持続的に装着する部位にこの照明装置の前記装着体をその一方の主面部および側面部で脱着可能に保持する凹部を有した保持枠体と，前記装着体をその他方の主面部で前記保持枠体に向けて弾性的に加圧する弾性加圧体とを備え、前記永久磁石体は前記装着体の他方の主面部の前記弾性加圧体が当接されない部位に配設されることを特徴とする盤装置。
【請求項２】
請求項１に記載の盤装置において、前記保持枠体は前記凹部のこの保持枠体が前記盤装置に設置される部位の近傍に前記装着体の通過を許容する装着体用切除部を有すると共に、この凹部の装着体の側面部を保持する部位に前記本体部の通過を許容する本体部用切除部を，前記装着体用切除部と連続させて有することを特徴とする盤装置。
【請求項３】
請求項１または２に記載の盤装置において、前記盤装置の少なくとも主要部は強磁性金属材製であると共に前記弾性加圧体は金属材製であり、前記照明装置の本体部は少なくとも前記装着体が配設される部位が金属材製であり、かつ、この装着体が強磁性金属材製であることを特徴とする盤装置。
【請求項４】
請求項１から３までのいずれかに記載の盤装置において、前記永久磁石体はシート状の弾性永久磁石材製であることを特徴とする盤装置。
【発明の詳細な説明】
【技術分野】
【０００１】
この発明は、発光ダイオードなどの発光素子を光源に用いた内部照明用の照明装置を脱着可能に装着するようにした配電盤などの盤装置に関するものである。
【背景技術】
【０００２】
従来の発光ダイオードを光源に用いた内部照明用の照明装置を脱着可能に装着するようにしたキャビネット装置では、発光ダイオードを光源に用いた内部照明用の照明装置はＵ字状に形成されたブラケット本体に支持され、ブラケット本体と，このブラケット本体に装着された蔓巻ばねで押圧される押圧板とによってキャビネット装置の幕板などの保持用部材に脱着可能な状態として持続的に保持されると共に、必要な場合には、前記照明装置を手持ちの非常用照明装置として利用するようにしている（例えば、特許文献１参照。)。
【特許文献１】特開２００１−３２５８２７号公報（第１１−１２頁、第１−３，６図）
【発明の開示】
【発明が解決しようとする課題】
【０００３】
前述した従来技術のキャビネット装置による構成を持つ内部照明用の照明装置の保持方法では、配電盤などの盤装置に適用しようとする場合に次に記載するようなことが問題になっている。すなわち、（１）大地震による大きな震動が盤装置に加えられた場合には、蔓巻ばねで押圧された押圧板による保持力だけでは照明装置を保持用部材に保持し続けることが困難なために、照明装置の保持用部材からの落下が発生し、最悪の場合には照明装置が破損に至る可能性を持つ。そうして、大地震発生時におけるライフ・ラインの確保のために、電気・ガス・上下水道などに関わる電気設備では、配電盤などの付帯設備を含めて、高い耐震性を備えることを強く要求されており、この観点から前述した従来技術による照明装置の保持方法に替わる適切な保持方法を備えた盤装置が求められている。また、（２）前述した従来技術のキャビネット装置による構成を持つ内部照明用の照明装置の保持方法は、照明装置の接地が全く考慮されていない。
【０００４】
ライフ・ライン用の電気設備（配電盤などの付帯設備も含む）の設置に関わる基準では、電気設備およびこの設備の運転・保守等の要員の安全のために、電気設備には接地が必須要件になっている。この観点から前述した従来技術による照明装置の保持方法に替わる適切な保持方法を備えた盤装置が求められている。さらに、（３）前述した従来技術のキャビネット装置による構成を持つ内部照明用の照明装置は、移動して用いる場合の移動先での照明装置の固定について全く考慮されていない。したがって、配電盤などの盤装置の保守・点検等の作業時の照明用に従来技術の照明装置を使用しようとすると、これ等の作業を両手で行うことが困難であるなどの問題が発生する。したがってこの発明の目的は、内部照明用の照明装置を脱着可能に持続的に保持する高耐震性の保持方法を備え、照明装置の接地の確保および移動先での照明装置の固定が可能な盤装置を提供することにある。
【課題を解決するための手段】
【０００５】
この発明では前述の目的は、
１）発光素子を光源に用いた内部照明用の照明装置を脱着可能に装着するようにした盤装置において、前記照明装置は前記発光素子が収納された本体部と，この本体部が盤装置に装着される部位に配設される一方の主面と他方の主面とを持つ板状の装着体と，この装着体の他方の主面部に配設された永久磁石体とを備え、前記盤装置は前記照明装置を持続的に装着する部位にこの照明装置の前記装着体をその一方の主面部および側面部で脱着可能に保持する凹部を有した保持枠体と，前記装着体をその他方の主面部で前記保持枠体に向けて弾性的に加圧する弾性加圧体とを備え、前記永久磁石体は前記装着体の他方の主面部の前記弾性加圧体が当接されない部位に配設されること、または、
２）前記１項に記載の手段において、前記保持枠体は前記凹部のこの保持枠体が前記盤装置に設置される部位の近傍に前記装着体の通過を許容する装着体用切除部を有すると共に、この凹部の装着体の側面部を保持する部位に前記本体部の通過を許容する本体部用切除部を，前記装着体用切除部と連続させて有すること、または、
３）前記１項または２項に記載の手段において、前記盤装置の少なくとも主要部は強磁性金属材製であると共に前記弾性加圧体は金属材製であり、前記照明装置の本体部は少なくとも前記装着体が配設される部位が金属材製であり、かつ、この装着体が強磁性金属材製であること、さらにまたは、
４）前記１項から３項までのいずれかに記載の手段において、前記永久磁石体はシート状の弾性永久磁石材製であることにより達成される。
【発明の効果】
【０００６】
この発明による盤装置では、前記課題を解決するための手段の項で述べた構成とすることで、次記の効果を得られる。
（１）照明装置が保持枠体に装着された状態では、照明装置に弾性加圧体の押圧力および照明装置の自重に抗する外力がある時間働き続けなければ、照明装置を保持枠体から取り出すことができる状態には戻せない。また、照明装置が保持枠体に装着された状態では、照明装置には弾性加圧体の押圧力が常時働いていると共に、照明装置がその重心位置よりも高位の位置にある板状の装着体の一方の主面で保持枠体に保持されていることで、大地震による大きな震動が盤装置に加えられた場合でも、照明装置に発生する振動が従来例の場合よりも抑制される。そうして、これ等が組み合わされることで、大地震発生時の照明装置の保持枠体からの脱落を確実に防止することが可能になる。また、
（２）照明装置は、照明装置の本体部の金属材製の部位→金属材製の装着体→金属材製の弾性加圧体→金属材製の盤装置の構造部材（接地端子を含む）→接地設備の経路によって、所要の接地条件を満足する接地設備に接続されるので、ライフ・ライン用の電気設備の設置に関わる基準を、接地に関して十分に満足することが可能になる。さらに、
（３）照明装置は鉄板材製の装着体の他方の主面に永久磁石体が装着されており、また、この照明装置によって照明される保守・点検等の対象機器である被照明体が取り付けられる盤装置の少なくとも主要部分は強磁性金属材（例えば、鉄板材）製である。したがって、この照明装置を永久磁石体による磁気力を利用して盤装置の強磁性金属材製の部位に容易に装着することができる。よって、被照明体の保守・点検等の作業を行う要員は照明装置を保持する必要が無くなるので、被照明体の保守・点検等の作業を、両手を使うなどして容易に行うことが可能になる。
【発明を実施するための最良の形態】
【０００７】
以下この発明を実施するための最良の形態を図１〜図４を参照して詳細に説明する。ここで図１は、この発明の実施の形態の一例による盤装置の概要を一方の側板体を取り除くと共に一部破断をして示すその側面図であり、図２は図１におけるＡ部の拡大図である。また、図３は図２における一部破断をして示すＰ矢視図であり、図４は図３におけるＢ−Ｂ断面図である。図１〜図４において、１は、盤装置本体部２，ベース体４，照明装置５，保持枠体６および弾性加圧体７を備えたこの発明による盤装置である。盤装置本体部２は、この事例の場合には、フレーム体２１、扉２２，２２、中間柱体２３，２３、接地母線２４、照明装置装着体２５、側板体２６，２６と、装着部品群３とを備える。フレーム体２１は形鋼（例えば、山形鋼）材製で立方体状の形状を持ち、その天井部分には必要に応じて不図示の天井板体が適宜の方法で装着されている。扉２２，２２はフレーム体２１の正背面部のそれぞれに開閉自在に装着されている。
【０００８】
中間柱体２３，２３はフレーム体２１の両側面部のそれぞれの図１に示した位置に形鋼（例えば、溝形鋼）材を用いて設けられ、扉２２，２２と対面し合う部位には必要に応じて部品類装着用の鉄板材製の取付板（図示せず）が両中間柱体２３，２３にまたがって配設されている。接地母線２４は金属製（例えば、銅板材製）であり、例えば一方の中間柱体２３に、この中間柱体２３を介してフレーム体２１と電気的な導通を維持するようにして装着されている。なお、この接地母線２４には、盤装置１が現地に据え付けられた後に、現地に準備された所要の接地条件を満足する接地設備に接続されている不図示の接地線が接続される。照明装置装着体２５は、蛍光灯を用いた内部照明用の周知の照明装置を装着するための従来の照明装置装着体の場合と同様に、金属材（例えば、鉄板材）を用いてフレーム体２１に、フレーム体２１と電気的な導通を維持するようにして配設されている。側板体２６はフレーム体２１のそれぞれの側面部を覆って設けられ、強磁性金属材（例えば、鉄板材）製であり、ねじなどの締結体による締結法などの適宜の方法によってフレーム体２１に装着されている。
【０００９】
盤装置本体部２に備えられる装着部品群３の内容・仕様などは、盤装置本体部２が設置される電気設備などによって異なるが、図１〜図４によって示す事例の場合には、装着部品群３の一部として、シーケンサ３１、電話器３２、端子台３３が、中間柱体２３に配設された取付板に取り付けられている。ベース体４は形鋼（例えば、溝形鋼）材などを用いて形成され、盤装置本体部２が設置される部位の不図示の床に据え付けられ、不図示の基礎ボルトなどによってこの床に固定される。盤装置本体部２はこのベース体４にボルトなどの適宜の締結体（図示せず）を用いて締結されることになる。盤装置１において、盤装置本体部２，装着部品群３およびベース体４が持つ構成は、蛍光灯を用いた内部照明用の周知の照明装置を備えた従来の盤装置が持つ構成と基本的に同等であり、盤装置１の特徴は、照明装置５，保持枠体６および弾性加圧体７にある。以降、これ等について説明する。
【００１０】
照明装置５は、本体部５１，装着体５８と永久磁石体５９とを備えている。本体部５１はこの事例の場合には、発光素子（例えば、発光ダイオード）を応用した多数の発光体５２をほぼ一平面上に配列し、発光体５２の群の電源である商用交流を直流に変換する電源装置（例えば、ダイオードを使用した単相ブリッジ回路と平滑用コンデンサとが組み合わされた装置である。）５３と共に金属材（例えば、アルミニウム板）製で直方体状の外形を持つ収納容器５４に収納している。そうして、この収納容器５４の外形寸法は、幅寸法：Ｗ５１，長さ寸法：Ｌ５１である。なお、本体部５１の発光体５２からの光が放射される前面部は、透明または半透明のプラスチック材などの可視光に対する良好な透光性を持つ材料を用いて製作された前面カバー体５５により保護されている。
また、本体部５１が持つ電源コード５６は、電源コード５６のプラグを不図示のコンセントに差し込んだ状態で、照明装置５を少なくとも盤装置１の内部で移動して使用できるようにその長さが設定されている。装着体５８はこの事例の場合には、鉄板材（すなわち、強磁性金属材）製であり、その幅寸法はＷ５８（ただし、Ｗ５８＞Ｗ５１）で、その長さ寸法がＬ５８（ただし、Ｌ５８＞Ｌ５１）の矩形状とされている。この装着体５８はねじなどの締結体による締結法などの適宜の方法によって、その一方の主面５８Ａで本体部５１に反前面カバー体５５側で装着される。永久磁石体５９はこの事例の場合には、シート状のゴム磁石材を用いて装着体５８とほぼ同一外形寸法の矩形状に成形したものであり、装着体５８の他方の主面５８Ｂに、必要に応じて適宜の接着剤を用いて装着される。なお、弾性加圧体７が装着体５８に当接される部位の永久磁石体５９は適宜の方法によって切除される。なおまた、装着体５８の厚さと永久磁石体５９の厚さとを合わせた装着体部の厚さ寸法はＴ５８であるとする。
【００１１】
保持枠体６はこの事例の場合には、照明装置５の装着体５８をその一方の主面５８Ａと，幅寸法がＷ５８で長さ寸法がＬ５８の矩形状をした側面部とで脱着可能に保持する凹部６１を備えている。照明装置５が保持枠体６に装着される場合に、保持枠体６の凹部６１の底面６２には、装着体５８の一方の主面５８Ａが当接される。また、凹部６１の周囲部分を区切るその壁面６３の幅寸法はＷ６３（ただし、Ｗ６３＞Ｗ５８）で、その長さ寸法がＬ６３（ただし、Ｌ６３＞Ｌ５８）の矩形状とされている。保持枠体６は、凹部６１を形成している壁部６４の反底面６２側の端部の３方（図３を参照）の外面側にフランジ６５を有しており、このフランジ６５の部位でねじなどの締結体（図示せず）による締結法などの適宜の方法で、照明装置装着体２５に装着される。
保持枠体６のフランジ６５が形成されていない壁部６４には、照明装置装着体２５に接して開口し、Ｗ６６（ただし、Ｗ６６＞Ｗ５８）の幅寸法と，Ｈ６６（ただし、Ｈ６６＞Ｔ５８）の高さ寸法とを持つ装着体５８用の切除部６６が形成されている。このＨ６６の寸法は、弾性加圧体７を照明装置装着体２５に締結法によって装着する場合には、その締結に用いられる締結体（図示せず）の頭部などの存在も考慮して、装着体５８と永久磁石体５９とが切除部６６を通過できる値に設定される。また、保持枠体６のフランジ６５が形成されていない壁部６４には、切除部６６の底面６２側に切除部６６と連続させて、Ｗ６７（ただし、Ｗ５８＞Ｗ６７＞Ｗ５１）の幅寸法を持って底面６２に達する本体部５１用の切除部６７が形成されている。また、底面６２には、Ｗ６７の幅寸法を持ち本体部５１を挿入することができる寸法・形状を持つ開口部６８が、切除部６７と連続させて形成されている。
【００１２】
弾性加圧体７はこの事例の場合には、短冊形の金属板を図４に示したように片持梁状に成形した一種の薄板ばねであり、その基部でねじなどの締結体による締結法などの適宜の方法で、金属材製の照明装置装着体２５と電気的な導通を維持するようにして、照明装置装着体２５に装着されている。この弾性加圧体７は、その先端部で凹部６１に保持されている装着体５８の他方の主面５８Ｂを、保持枠体６の底面６２に向けて弾性的に押圧する役目を担っている。
図１〜図４に示すこの発明の実施の形態の一例による盤装置１では前述の構成としたので、照明装置５を保持枠体６に装着する場合には、まず、装着体５８の端部を切除部６６に、かつ本体部５１の端部を切除部６７に挿入して、照明装置５をスライド式に保持枠体６に差し込む。続いて照明装置５を、装着体５８の全体が凹部６１に嵌り合える位置まで押し込むと、照明装置５は弾性加圧体７の押圧力と照明装置５の自重との作用によって凹部６１に嵌り込まれて、照明装置５の保持枠体６への装着作業が完了する。この装着状態では、照明装置５は、弾性加圧体７の押圧力および照明装置５の自重に抗する外力がある時間働き続けなければ、装着体５８の端部を切除部６７に挿入できる状態には戻せない。また、照明装置５の保持枠体６への装着状態では、照明装置５には弾性加圧体７の押圧力が常時働いていると共に、照明装置５がその重心位置よりも高位の位置にある主面５８Ａで保持枠体６に保持されていることで、大地震による大きな震動が盤装置に加えられた場合でも、照明装置５に発生する振動が従来例の場合よりも抑制される。
【００１３】
そうして、これ等が組み合わされることで、大地震発生時の照明装置５の保持枠体６からの脱落を確実に防止することができる。また、照明装置５は、金属材製の収納容器５４→鉄板材製の装着体５８→金属板製の弾性加圧体７→金属材製の照明装置装着体２５→鉄材製のフレーム体２１→鉄材製の中間柱体２３→金属製の接地母線２４→接地設備の経路によって、所要の接地条件を満足する接地設備に接続されることになるので、ライフ・ライン用の電気設備（配電盤などの付帯設備も含む）の設置に関わる基準を、接地に関して十分に満足することができる。さらに、前記した照明装置５を盤装置１の盤内の局所的な照明に利用する場合には、照明装置５は保持枠体６に装着する場合とは逆の手順によって、保持枠体６から取り外すことができる。
図１に例示した盤装置１の場合には、シーケンサ３１の設定は電話器３２により連絡をとりあいながら行われるが、この時、シーケンサ３１，電話器３２の周辺の照明を行うために、照明装置５の利用が必要になる。照明装置５では鉄板材製の装着体５８の他方の主面５８Ｂにシート状のゴム磁石材を用いた永久磁石体５９が装着されており、また、側板体２６などの盤装置本体部２を構成する部材の多くは強磁性金属材（例えば、鉄板材）製であるので、照明装置５を永久磁石体５９による磁気力を利用して容易に装着することができる。図１に例示した場合には、照明装置５はシーケンサ３１，電話器３２の近傍の側板体２６に装着されている（図１には、この場合の照明装置５を一点鎖線で示している。）。
【００１４】
よって、シーケンサ３１の設定を行う要員は照明装置５を保持する必要は無く、電話器３２により連絡をとりあいながら行われるシーケンサ３１の設定を、両手を使って容易に行うことができる。なお、盤装置には鉄板材が多用されていることが一般的であるので、照明装置５を装着できる場所を比較的に容易に盤装置内に見付けることができる。したがって、配電盤などの盤装置の保守・点検等の作業時に照明装置５を利用する機会が多数得られるものと考えられる。ところで、照明装置５では永久磁石体５９にゴム磁石材が用いられているので、永久磁石体５９によって鉄板材などに装着する照明装置５の移動先での装着方法に場合には、照明装置５は所要条件の接地機能を確保することはできない。
しかしながら、照明装置５の移動先での装着は保守・点検等の際の一時的な処置であり、保守・点検等の作業が終了すれば照明装置５は保持枠体６に装着される本来の装着状態に戻されることになるので、このような一時的な処置の場合には、照明装置５に接地機能を持たせることは不要とされている。そうして、従来から配電盤などの盤装置に広く適用されている蛍光灯は、有害物質の水銀が用いられていること、薄いガラスが用いられていて破損し易いこと、電気装置の誤動作の原因になるノイズが点灯時に発生することなどの問題点を持っている。発光ダイオードを光源に用いた照明装置は、蛍光灯が持っている前記問題点を本質的に持たない上に、蛍光灯と対比して長寿命でしかもコンパクトであるなどの特徴を備えている。この発明によって従来技術の発光ダイオードを光源に用いた照明装置の問題点が解決されることで、有害物質の規制が推進される場合には、発光ダイオードなどを光源に用いた照明装置の盤装置への適用が広まってゆくことと思われる。
【００１５】
前述の説明では、照明装置５が備える永久磁石体５９はシート状のゴム磁石材を用いるとしてきたが、これに限定されるものではなく、例えば、プラスチック磁石材でも、さらには、フェライト磁石などの硬質の磁石材であってもよい。また、前述の説明では、弾性加圧体７は短冊形の金属板を図４に示したように片持梁状に成形した一種の薄板ばねであるとしてきたが、これに限定されるものではなく、装着体５８の弾性的な押圧が可能でしかも照明装置５の保持枠体６への装着または保持枠体６からの取り外しの作業時に支障を与えることが無ければ、弾性加圧体７の使用材料・形状・構造などは適宜に選定してよいものである。
【図面の簡単な説明】
【００１６】
【図１】この発明の実施の形態の一例による盤装置の概要を一方の側板体を取り除くと共に一部破断をして示すその側面図である。
【図２】図１におけるＡ部の拡大図である。
【図３】図２における一部破断をして示すＰ矢視図である。
【図４】図３におけるＢ−Ｂ断面図である。
【符号の説明】
【００１７】
１      盤装置
５      照明装置
５１    本体部
５４    収納容器
５８    装着体
５８Ａ  主面
５８Ｂ  主面
５９    永久磁石体
６      保持枠体
６１    凹部
６２    底面
７      弾性加圧体
【図１】
2006050731.tif 000003
【図２】
2006050731.tif 000004
【図３】
2006050731.tif 000005
【図４】
2006050731.tif 000006